(57)【要約】【課題】一部の例示的な実施例は、無線通信パケットの受信を選択的に停止する装置、システム及び方法を含む。【解決手段】例えば、受信機は、無線通信パケットの一部を少なくとも部分的に処理し、前記通信パケットの一部に基づき、前記パケットが受信機により受信されることが意図されているか判断し、前記パケットが前記受信機により受信されることが意図されていない場合、前記受信機の物理レイヤ（ＰＨＹ）の１以上のコンポーネントによる前記通信パケットの残りの処理を停止する。他の実施例が開示及び請求される。【選択図】図１
2015122755.tif 000002
【特許請求の範囲】
【請求項１】
無線通信パケットの信号を処理するため物理（ＰＨＹ）レイヤとＭＡＣ（Ｍｅｄｉａ  Ａｃｃｅｓｓ  Ｃｏｎｔｒｏｌ）レイヤとを有する受信機であって、前記パケットはＰＨＹヘッダとＭＡＣヘッダとを有する、受信機を有する無線通信装置であって、
前記物理レイヤは、前記ＰＨＹヘッダの一部を少なくとも部分的に処理し、前記ＰＨＹヘッダの一部に基づき前記パケットが前記受信機により受信されるべきか判断し、前記パケットが前記受信機により受信されるべきでない場合、前記パケットの処理を停止し、
前記ＰＨＹヘッダの一部に基づき処理が停止されるべきでない場合、前記ＭＡＣレイヤは、前記ＭＡＣヘッダに基づき前記パケットが前記受信機により受信されるべきか判断し、前記パケットが前記受信機により受信されるべきでない場合、前記受信機は、前記パケットの処理を停止する無線通信装置。
【請求項２】
前記受信機は、ＴｘＯｐ（Ｔｒａｎｓｍｉｔ  Ｏｐｐｏｒｔｕｎｉｔｙ）ターミネーションが実現されないとき、前記ＭＡＣヘッダの長さフィールドに基づき前記パケットの処理を停止する、請求項１記載の無線通信装置。
【請求項３】
前記物理レイヤは、ＰＬＣＰ（Ｐｈｙｓｉｃａｌ  Ｌａｙｅｒ  Ｃｏｎｖｅｒｇｅｎｃｅ  Ｐｒｏｃｅｄｕｒｅ）ヘッダに基づき、前記パケットが前記受信機により受信されるべきか判断する、請求項１記載の無線通信装置。
【請求項４】
前記受信機は、１以上の受信コンポーネントを電力ダウンすることによって、前記パケットの処理を停止する、請求項１記載の無線通信装置。
【請求項５】
前記受信機は、ＰＬＣＰヘッダと前記ＭＡＣヘッダとからなる群から選ばれた少なくとも１つのヘッダに基づき電力ダウン期間を決定し、前記電力ダウン期間後に前記１以上の受信コンポーネントを電力アップする、請求項４記載の無線通信装置。
【請求項６】
前記１以上の受信コンポーネントは、電力アップ遅延期間を有する少なくとも１つのＲＦ（Ｒａｄｉｏ  Ｆｒｅｑｕｅｎｃｙ）コンポーネントを有し、
前記受信機は、前記電力アップ遅延期間に基づき前記電力ダウン期間を決定する、請求項５記載の装置。
【請求項７】
前記１以上の受信コンポーネントは、前記物理レイヤの少なくとも１つのＲＦコンポーネントを含む、請求項４記載の装置。
【請求項８】
前記１以上の受信コンポーネントは、前記物理レイヤの少なくとも１つのベースバンド（ＢＢ）コンポーネントを含む、請求項４記載の装置。
【請求項９】
１以上のアンテナ、メモリ及びプロセッサを有する、請求項１乃至８何れか一項記載の装置。
【請求項１０】
請求項１乃至８何れか一項記載の無線通信装置を有する無線通信システムであって、
メモリと、
プロセッサと、
入力ユニットと、
出力ユニットと、
前記無線通信パケットの信号を受信するための少なくとも１つのアンテナと、
を更に有する無線通信システム。
【請求項１１】
前記パケットの信号は、ＯＦＤＭ（Ｏｒｔｈｏｇｏｎａｌ  Ｆｒｅｑｕｅｎｃｙ  Ｄｉｖｉｓｉｏｎ−Ｍｕｌｔｉｐｌｅｘｅｄ）信号からなる、請求項１０記載の無線通信システム。
【請求項１２】
前記無線通信装置は、スマートフォン、タブレット又はルータである、請求項１０記載の無線通信システム。
【請求項１３】
無線通信パケットの信号を処理するため物理（ＰＨＹ）レイヤとＭＡＣ（Ｍｅｄｉａ  Ａｃｃｅｓｓ  Ｃｏｎｔｒｏｌ）レイヤとを有する受信機であって、前記パケットはＰＨＹヘッダとＭＡＣヘッダとを有する、受信機によって実行される方法であって、
前記ＰＨＹヘッダの一部を少なくとも部分的に処理し、前記ＰＨＹヘッダの一部に基づき前記パケットが前記受信機により受信されるべきか判断し、前記パケットが前記受信機により受信されるべきでない場合、前記パケットの処理を停止するステップと、
前記ＰＨＹヘッダの一部に基づき処理が停止されるべきでない場合、前記ＭＡＣヘッダに基づき前記パケットが前記受信機により受信されるべきか判断し、前記パケットが前記受信機により受信されるべきでない場合、前記パケットの処理を停止するステップと、
を有する方法。
【請求項１４】
ＴｘＯｐ（Ｔｒａｎｓｍｉｔ  Ｏｐｐｏｒｔｕｎｉｔｙ）ターミネーションが実現されないとき、前記ＭＡＣヘッダの長さフィールドに基づき前記パケットの処理を停止するステップを有する、請求項１３記載の方法。
【請求項１５】
１以上の受信コンポーネントを電力ダウンすることによって、前記パケットの処理を停止するステップを有する、請求項１３記載の方法。
【請求項１６】
ＰＬＣＰヘッダと前記ＭＡＣヘッダとからなる群から選ばれた少なくとも１つのヘッダに基づき電力ダウン期間を決定し、前記電力ダウン期間後に前記１以上の受信コンポーネントを電力アップするステップを有する、請求項１５記載の方法。
【請求項１７】
前記１以上の受信コンポーネントは、前記物理レイヤの少なくとも１つのＲＦコンポーネントを含む、請求項１５記載の方法。
【請求項１８】
前記１以上の受信コンポーネントは、前記物理レイヤの少なくとも１つのベースバンド（ＢＢ）コンポーネントを含む、請求項１５記載の方法。
【請求項１９】
コンピュータプロセッサにより実行されると、前記コンピュータプロセッサに受信機において請求項１３乃至１８何れか一項記載の方法を実現することを可能にするよう実行可能なコンピュータ実行可能命令を有する有形のコンピュータ可読な非一時的な記憶媒体を有する製品。
【発明の詳細な説明】
【背景技術】
【０００１】
スタンバイ時間又は通話時間に関して、ＷＬＡＮ（Ｗｉｒｅｌｅｓｓ  Ｌｏｃａｌ  Ａｒｅａ  Ｎｅｔｗｏｒｋ）機能を有する携帯電話装置のバッテリ寿命は、一般にＷＬＡＮ機能を有さない同様の携帯電話装置のバッテリ寿命よりはるかに短い。他の要因に加えて、ＷＬＡＮシステムにより利用されるランダムアクセス機構は、このような装置の早いバッテリ消費に対する大きな原因である。ＩＥＥＥ８０２．１１及び８０２．３規格によるシステムなどの一部のネットワーキングシステムは、チャネルアクセスのためにＣＳＭＡ（Ｃａｒｒｉｅｒ−Ｓｅｎｓｅ  Ｍｕｌｔｉｐｌｅ  Ａｃｃｅｓｓ）に依拠する。これらのシステムでは、あるノード（無線装置など）が通信パケットを送信すると、送信したノード／装置の範囲内のすべてのノード（無線装置など）が、当該パケットを受信する。このとき、多くのシステムでは、各ノード／装置は、例えば、復号化装置の物理レイヤ（ＰＨＹ）においてパケット全体を処理するなどによって、パケット全体を復号化し、チェックする。パケット全体の復号化後、復号化装置のＭＡＣ（Ｍｅｄｉｕｍ  Ａｃｃｅｓｓ  Ｃｏｎｔｒｏｌ）レイヤは、例えば、パケットのＭＡＣヘッダなどのをチェックし、例えば、パケットがブロードキャストパケットであるか、復号化ノードを含むネットワークに意図したマルチキャストパケットか、又は復号化ノードによる受信を意図したユニキャストパケットであるかなど、当該パケットが復号化ノードに対するものであるか決定する。パケットが復号化ノードにより受信されるべきものである場合、復号化装置の下位のＭＡＣレイヤは、さらなる処理のためパケットを上位のＭＡＣレイヤにわたす。そうでない場合、下位のＭＡＣレイヤは、さらなる処理から当該パケットを“排除”する。下位ＭＡＣレイヤは、通常はマイクロコード（ｕＣｏｄｅ）により実現され、上位ＭＡＣレイヤは、復号化ノード／装置のドライバにより実現される。
【０００２】
しかしながら、今日の実現形態の多くにおいて、データパケットは、ＰＨＹレイヤにおいてパケット全体が復号化され、下位ＭＡＣレイヤにわたされた後になって始めて排除される。ＰＨＹレイヤは通常は通信チップセットにおけるエネルギーの大部分を消費し、通信チップセットは一般に送信より受信により多くの時間を費やすため、関係のあるパケットの受信により消費されるエネルギーは、バッテリ消費における特に重要なファクタになっている。さらに、関係のないパケットの受信におけるエネルギー消費の増加傾向は、より大きな通信パケットを受信可能な先進的な機構を備えた新規の通信装置の開発によって、ますます重要性が高まっている。
【０００３】
多くのパケットは、大量の情報を含む長いパケットである。例えば、ＩＥＥＥ８０２．１１及び８０２．３規格などの一部の通信技術は、ジャンボフレームを送信可能である。例えば、ＩＥＥＥ８０２．１１ｎ規格は、２つのフレーム合成スキーム、すなわち、それぞれ４Ｋ又は８Ｋオクテットと６５，５３５オクテットのフレームサイズ制限を有するＡ−ＭＳＤＵ及びＡ−ＭＰＤＵを規定する。
【発明の概要】
【発明が解決しようとする課題】
【０００４】
上述した問題点に鑑み、本発明の課題は、無線通信パケットの受信を選択的に停止する装置、システム及び方法を提供することである。
【課題を解決するための手段】
【０００５】
上記課題を解決するため、本発明の一態様は、無線通信パケットの一部を少なくとも部分的に処理し、前記通信パケットの一部に基づき、前記パケットが受信機により受信されることが意図されているか判断し、前記パケットが前記受信機により受信されることが意図されていない場合、前記受信機の物理レイヤ（ＰＨＹ）の１以上のコンポーネントによる前記通信パケットの残りの処理を停止する受信機を有する無線通信装置に関する。
本発明の他の態様は、無線通信パケットの一部を少なくとも部分的に処理し、前記通信パケットの一部に基づき、前記パケットが受信機により受信されることが意図されているか判断するステップと、前記パケットが前記受信機により受信されることが意図されていない場合、前記受信機の物理レイヤ（ＰＨＹ）の１以上のコンポーネントによる前記パケットの残りの処理を停止するステップとを有する方法に関する。
本発明の更なる他の態様は、少なくとも１つの無線通信装置を有するシステムであって、前記無線通信装置は、無線通信パケットの信号を受信する少なくとも１つのアンテナと、前記無線通信パケットの一部を少なくとも部分的に処理し、前記通信パケットの一部に基づき、前記パケットが受信機により受信されることが意図されているか判断し、前記パケットが前記受信機により受信されることが意図されていない場合、前記受信機の物理レイヤ（ＰＨＹ）の１以上のコンポーネントによる前記通信パケットの残りの処理を停止する受信機とを有するシステムに関する。
【発明の効果】
【０００６】
本発明によると、無線通信パケットの受信を選択的に停止する装置、システム及び方法を提供することができる。
【図面の簡単な説明】
【０００７】
説明の簡単化のため、図面に示される要素は、必ずしもスケーリングして表示されていない。例えば、これらの要素の一部の大きさは、表示の明確化のため他の要素に対して誇張されているかもしれない。さらに、参照番号は、対応する又は同様の要素を示すため図面において繰り返されてもよい。以下に図面がリストされる。
【図１】図１は、一部の例示的な実施例によるシステムの概略的なブロック図である。
【図２】図２は、一部の例示的な実施例による無線通信パケットの概略図である。
【図３】図３は、一部の例示的な実施例による無線通信パケットの受信を選択的に停止する方法の概略的なフローチャートである。
【図４】図４ａ及び４ｂは、一部の例示的な実施例による第１及び第２タイプの受信対象の無線通信パケットの概略的なブロック図である。
【図５】図５は、一部の例示的な実施例による製造物の概略図である。
【発明を実施するための形態】
【０００８】
以下の詳細な説明では、多数の具体的な詳細がいくつかの実施例の完全な理解を提供するため与えられる。しかしながら、いくつかの実施例はこれらの具体的な詳細なしに実施可能であることが、当業者により理解されるであろう。他の例では、周知な方法、処理、コンポーネント、ユニット及び／又は回路は、説明を不明りょうにしないように詳細には説明されない。
【０００９】
例えば、“処理”、“計算”、“算出”、“決定”、“確定”、“解析”、“確認”などの用語を用いたここでの説明は、コンピュータのレジスタ及び／又はメモリ内の物理量（電子量など）として表現されるデータを、コンピュータのレジスタ及び／又はメモリ若しくは演算及び／又は処理を実行するための命令を格納可能な他の情報記憶媒体内の物理量として同様に表現される他のデータに操作及び／又は変換する、コンピュータ、計算プラットフォーム、計算システム又は他の電子計算装置の演算及び／又は処理を表すものであってもよい。
【００１０】
ここで用いられる“複数”という用語は、例えば、“２以上”を含む。例えば、“複数のアイテム”とは、２以上のアイテムを含む。
【００１１】
装置及び／又はコンポーネントに関してここに用いられる“電力ダウン”及び“パワーダウン”という用語は、例えば、装置及び／又はコンポーネントへの電流を低減、低下、シャットダウン、電力オフ、オフ及び／又はスイッチオフ、及び／又は装置及び／又はコンポーネントの完全な及び／又は通常の動作に要求されるものより少ない電力を消費するスリープモード、低電力モード、スタンバイモード及び／又は他の何れかの動作モードにより動作するよう装置及び／又はコンポーネントをスイッチすることなどを表すものであってもよい。例えば、受信機、受信機のコンポーネント、受信機の物理レイヤ（ＰＨＹ）、受信機のＲＦ（Ｒａｄｉｏ  Ｆｒｅｑｕｅｎｃｙ）コンポーネント、及び／又は受信機のベースバンド（ＢＢ）コンポーネントの電力ダウンは、受信機への電流の低減、低下、シャットダウン、電力オフ、オフ及び／又はスイッチオフ、及び／又は受信機、受信機のコンポーネント、受信機のＰＨＹ、受信機のＲＦコンポーネント、及び／又は受信機のＢＢコンポーネントを、例えば、完全な受信、処理、復号化及び／又は無線通信信号の処理などのため、完全な動作に必要とされるものより少ない電力しか消費しないスリープモード、低電力モード、スタンバイモード及び／又は他の何れかの動作モードで動作するようスイッチすることを含むものであってもよい。
【００１２】
装置及び／又はコンポーネントに関してここで用いられる“電力アップ”及び“パワーアップ”という用語は、装置及び／又はコンポーネントへの電流を増加、再開、オン及び／又はスイッチオン、及び／又は装置及び／又はコンポーネントの完全な受信及び／又は通常動作に必要とされるものより少ない電力しか消費しないスリープモード、スタンバイモード又は他の何れかの動作モードから動作モードに装置及び／又はコンポーネントを変更することなどを表すものであってもよい。例えば、受信機、受信機のコンポーネント、受信機のＰＨＹ、受信機のＲＦコンポーネント、及び／又は受信機のＢＢコンポーネントの電力アップは、受信機への電流の増加、再開、オン及び／又はスイッチオン、及び／又は受信機、受信機のコンポーネント、受信機のＰＨＹ、受信機のＲＦコンポーネント、及び／又は受信機のＢＢコンポーネントを、例えば、完全な受信、処理、復号化及び／又は無線通信信号の処理などのため、完全な受信及び／又は通常動作に必要とされるものより少ない電力しか消費しないスリープモード、低電力モード、スタンバイモード及び／又は他の何れかの動作モードから動作モードに装置及び／又はコンポーネントを変更することなどを含むものであってもよい。
【００１３】
“パケットの一部”という用語は、例えば、パケット及び／又はパケットのコンテンツに関する情報を含む、パケットのヘッダ、パケットのプリアンブル及び／又は他の何れか適切なパケットのパート、セグメント及び／又はフラグメントなどを表すものであってもよい。例えば、パケットの一部は、パケットのＰＬＣＰ（Ｐｈｙｓｉｃａｌ  Ｌａｙｅｒ  Ｃｏｎｖｅｒｇｅｎｃｅ  Ｐｒｏｃｅｄｕｒｅ）ヘッダ、ＭＡＣ（Ｍｅｄｉｕｍ  Ａｃｃｅｓｓ  Ｃｏｎｔｒｏｌ）ヘッダ、ＰＬＣＰプリアンブルなどを含むものであってもよい。
【００１４】
いくつかの実施例は、例えば、パーソナルコンピュータ（ＰＣ）、デスクトップコンピュータ、モバイルコンピュータ、ラップトップコンピュータ、ノートブックコンピュータ、タブレットコンピュータ、サーバコンピュータ、携帯コンピュータ、ＰＤＡ（Ｐｅｒｓｏｎａｌ  Ｄｉｇｉｔａｌ  Ａｓｓｉｓｔａｎｔ）装置、携帯ＰＤＡ装置、オンボード装置、オフボード装置、ハイブリッド装置、車両装置、非車両装置、モバイル若しくはポータブル装置、コンシューマ装置、非モバイル若しくは非ポータブル装置、無線通信局、無線通信装置、無線ＡＰ（Ａｃｃｅｓｓ  Ｐｏｉｎｔ）、有線若しくは無線ルータ、有線若しくは無線モデム、ビデオ装置、オーディオ装置、オーディオビデオ（Ａ／Ｖ）装置、セットトップボックス（ＳＴＢ）、Ｂｌｕ−ｒａｙ（登録商標）ディスク（ＢＤ）プレーヤー、ＢＤレコーダ、ＤＶＤ（Ｄｉｇｉｔａｌ  Ｖｉｄｅｏ  Ｄｉｓｃ）プレーヤー、高品位（ＨＤ）ＤＶＤプレーヤー、ＤＶＤレコーダ、ＨＤ  ＤＶＤレコーダ、ＰＶＲ（Ｐｅｒｓｏｎａｌ  Ｖｉｄｅｏ  Ｒｅｃｏｒｄｅｒ）、ブロードキャストＨＤ受信機、ビデオソース、オーディオソース、ビデオシンク、オーディオシンク、ステレオチューナ、ブロードキャストラジオ受信機、フラットパネルディスプレイ、ＰＭＰ）Ｐｅｒｓｏｎａｌ  Ｍｅｄｉａ  Ｐｌａｙｅｒ）、ＤＶＣ（Ｄｉｇｉｔａｌ  Ｖｉｄｅｏ  Ｃａｍｅｒａ）、デジタルオーディオプレーヤー、スピーカー、オーディオ受信機、オーディオアンプ、ゲーム装置、データソース、データシンク、デジタルスチルカメラ（ＤＳＣ）、有線若しくは無線ネットワーク、無線エリアネットワーク、ＷＶＡＮ（Ｗｉｒｅｌｅｓｓ  Ｖｉｄｅｏ  Ａｒｅａ  Ｎｅｔｗｏｒｋ）、ＬＡＮ（Ｌｏｃａｌ  Ａｒｅａ  Ｎｅｔｗｏｒｋ）、ＷＬＡＮ（Ｗｉｒｅｌｅｓｓ  ＬＡＮ）、ＰＡＮ（Ｐｅｒｓｏｎａｌ  Ａｒｅａ  Ｎｅｔｗｏｒｋ）、ＷＰＡＮ（Ｗｉｒｅｌｅｓｓ  ＰＡＮ）、既存のＩＥＥＥ８０２．１１（ＩＥＥＥ８０２．１１−１９９９：Ｗｉｒｅｌｅｓｓ  ＬＡＮ  Ｍｅｄｉｕｍ  Ａｃｃｅｓｓ  Ｃｏｎｔｒｏｌ（ＭＡＣ）  ａｎｄ  Ｐｈｙｓｉｃａｌ  Ｌａｙｅｒ（ＰＨＹ）仕様書）、８０２．１１ａ、８０２．１１ｂ、８０２．１１ｇ、８０２．１１ｈ、８０２．１１ｊ、８０２．１１ｎ、８０２．１６、８０２．１６ｄ、８０２．１６ｅ、８０２．１６ｆ規格（ＩＥＥＥ８０２規格）及び／又はこれらの以降のバージョン及び／又は派生に従って動作する装置及び／又はネットワーク、既存のＷｉｒｅｌｅｓｓ−Ｇｉｇａｂｉｔ−Ａｌｌｉａｎｃｅ（ＷＧＡ）及び／又はＷｉｒｅｌｅｓｓＨＤＴＭ仕様書及び／又はこれらの以降のバージョン及び／又は派生に従って動作する装置及び／又はネットワーク、上述したネットワークの一部であるユニット及び／又は装置、一方向及び／又は双方向無線通信システム、携帯無線電話通信システム、携帯電話、無線電話、ＰＣＳ（Ｐｅｒｓｏｎａｌ  Ｃｏｍｍｕｎｉｃａｔｉｏｎ  Ｓｙｓｔｅｍ）装置、無線通信装置を搭載したＰＤＡ装置、モバイル若しくはポータブルＧＰＳ（Ｇｌｏｂａｌ  Ｐｏｓｉｔｉｏｎｉｎｇ  Ｓｙｓｔｅｍ）装置、ＧＰＳ受信機、送受信機若しくはチップを搭載した装置、ＲＦＩＤ素子若しくはチップを搭載した装置、��ＩＭＯ（Ｍｕｌｔｉｐｌｅ  Ｉｎｐｕｔ  Ｍｕｌｔｉｐｌｅ  Ｏｕｔｐｕｔ）送受信機若しくは装置、ＳＩＭＯ（Ｓｉｎｇｌｅ  Ｉｎｐｕｔ  Ｍｕｌｔｉｐｌｅ  Ｏｕｔｐｕｔ）送受信機若しくは装置、ＭＩＳＯ（Ｍｕｌｔｉｐｌｅ  Ｉｎｐｕｔ  Ｓｉｎｇｌｅ  Ｏｕｔｐｕｔ）送受信機若しくは装置、１以上の内部及び／又は外部アンテナを有する装置、ＤＶＢ（Ｄｉｇｉｔａｌ  Ｖｉｄｅｏ  Ｂｒｏａｄｃａｓｔ）装置若しくはシステム、マルチスタンダード無線装置若しくはシステム、有線若しくは無線携帯装置（ＢｌａｃｋＢｅｒｒｙ、Ｐａｌｍ  Ｔｒｅｏなど）、ＷＡＰ（Ｗｉｒｅｌｅｓｓ  Ａｐｐｌｉｃａｔｉｏｎ  Ｐｒｏｔｏｃｏｌ）装置などの各種装置及びシステムに関して利用されてもよい。
【００１５】
いくつかの実施例は、例えば、ＲＦ（Ｒａｄｉｏ  Ｆｒｅｑｕｅｎｃｙ）、ＩＲ（Ｉｎｆｒａ  Ｒｅｄ）、ＦＤＭ（Ｆｒｅｑｕｅｎｃｙ−Ｄｉｖｉｓｉｏｎ  Ｍｕｌｔｉｐｌｅｘｉｎｇ）、ＯＦＤＭ（Ｏｒｔｈｏｇｏｎａｌ  ＦＤＭ）、ＴＤＭ（Ｔｉｍｅ−Ｄｉｖｉｓｉｏｎ  Ｍｕｌｔｉｐｌｅｘｉｎｇ）、ＴＤＭＡ（Ｔｉｍｅ−Ｄｉｖｉｓｉｏｎ  Ｍｕｌｔｉｐｌｅ  Ａｃｃｅｓｓ）、Ｅ−ＴＤＭＡ（Ｅｘｔｅｎｄｅｄ  ＴＤＭＡ）、ＧＰＲＳ（Ｇｅｎｅｒａｌ  Ｐａｃｋｅｔ  Ｒａｄｉｏ  Ｓｅｒｖｉｃｅ）、拡張ＧＰＲＳ、ＣＤＭＡ（Ｃｏｄｅ−Ｄｉｖｉｓｉｏｎ  Ｍｕｌｔｉｐｌｅ  Ａｃｃｅｓｓ）、ＷＣＤＭＡ（Ｗｉｄｅｂａｎｄ  ＣＤＭＡ）、ＣＤＭＡ２０００、シングルキャリアＣＤＭＡ、Ｂｌｕｅｔｏｏｔｈ（登録商標）、ＧＰＳ（Ｇｌｏｂａｌ  Ｐｏｓｉｔｉｏｎｉｎｇ  Ｓｙｓｔｅｍ）、Ｗｉ−Ｆｉ、Ｗｉ−ｍａｘ、ＺｉｇＢｅｅＴＭ、ＵＷＢ（Ｕｌｔｒａ−Ｗｉｄｅｂａｎｄ）、ＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎ）、２Ｇ、２．５Ｇ、３Ｇ、３．５Ｇ、ＥＤＧＥ（Ｅｎｈａｎｃｅｄ  Ｄａｔａ  ｒａｔｅ  ｆｏｒ  ＧＳＭ  Ｅｖｏｌｕｔｉｏｎ）などの１以上のタイプの無線通信信号及び／又はシステムに関して利用されてもよい。他の実施例は、他の各種装置、システム及び／又はネットワークにおいて利用されてもよい。
【００１６】
ここで用いられる“無線装置”という用語は、例えば、無線通信可能な装置、無線通信可能な通信装置、無線通信可能な通信局、無線通信可能なポータブル若しくは非ポータブル装置などを含む。一部の例示的な実施例では、無線装置は、コンピュータに一体化又は付属された周辺装置であってもよいし、又はこれを含むものであってもよい。一部の例示的な実施例では、“無線装置”という用語は、任意的に無線サービスを含むものであってもよい。
【００１７】
一部の例示的な実施例は、無線エリアネットワーク、“ピコネット”、ＷＰＡＮ、ＷＶＡＮなどの適切な限定的範囲又は短距離無線通信ネットワークに関して利用されてもよい。
【００１８】
一部の例示的な実施例によるシステム１００のブロック図を概略的に示す図１が参照される。
【００１９】
一部の例示的な実施例では、システム１００の１以上の要素は、例えば、無線チャネル、ＩＲチャネル、ＲＦチャネル、ＷｉＦｉ（Ｗｉｒｅｌｅｓｓ  Ｆｉｄｅｌｉｔｙ）チャネルなどの１以上の適切な無線通信リンクを介しコンテンツ、データ、情報及び／又は信号を通信可能であってもよい。システム１００の１以上の要素は、任意的には、何れか適切な有線通信リンクを介し通信可能であってもよい。
【００２０】
図１に示されるように、一部の例示的な実施例では、システム１００は、データ伝送のため無線通信する２以上の装置を含むものであってもよい。
【００２１】
一部の例示的な実施例では、システム１００は、システム１００の１以上の他の装置から無線通信パケットを受信可能な受信機１０８を有してもよい装置１０６及び／又は１２２などの少なくとも１つの無線通信装置（局）を含むものであってもよい。
【００２２】
一部の例示的な実施例では、無線通信装置１０６及び／又は１２２は、例えば、ＰＣ、デスクトップコンピュータ、モバイルコンピュータ、ラップトップコンピュータ、ノートブックコンピュータ、タブレットコンピュータ、サーバコンピュータ、携帯コンピュータ、携帯装置、ＰＤＡ装置、携帯ＰＤＡ装置、オンボード装置、オフボード装置、ハイブリッド装置（例えば、携帯電話機能とＰＤＡ装置機能との組み合わせなど）、コンシューマ装置、車両装置、非車両装置、モバイル若しくはポータブル装置、非モバイル若しくは非ポータブル装置、携帯電話、ＰＣＳ装置、無線通信装置を搭載したＰＤＡ装置、モバイル若しくはポータブルＧＰＳ装置、ＤＶＢ装置、相対的に小型の計算装置、非デスクトップコンピュータ、ＣＳＬＬ（Ｃａｒｒｙ  Ｓｍａｌｌ  Ｌｉｖｅ  Ｌａｒｇｅ）装置、ＵＭＤ（Ｕｌｔｒａ  Ｍｏｂｉｌｅ  Ｄｅｖｉｃｅ）、ＵＭＰＣ（Ｕｌｔｒａ  Ｍｏｂｉｌｅ  ＰＣ）、ＭＩＤ（Ｍｏｂｉｌｅ  Ｉｎｔｅｒｎｅｔ  Ｄｅｖｉｃｅ）、“Ｏｒｉｇａｍｉ”装置若しくは計算装置、ＤＣＣ（Ｄｙｎａｍｉｃａｌｌｙ  Ｃｏｍｐｏｓａｂｌｅ  Ｃｏｍｐｕｔｉｎｇ）をサポートする装置、コンテクストアウェア装置、ビデオ装置、オーディオ装置、Ａ／Ｖ装置、ＳＴＢ、ＢＤプレーヤー、ＢＤレコーダ、ＤＶＤプレーヤー、ＨＤ  ＤＶＤプレーヤー、ＤＶＤレコーダ、ＨＤ  ＤＶＤレコーダ、ＰＶＲ、ブロードキャストＨＤ受信機、ビデオソース、オーディオソース、ビデオシンク、オーディオシンク、ステレオチューナ、ブロードキャストラジオ受信機、フラットパネルディスプレイ、ＰＭＰ、ＤＶＣ、デジタルオーディオプレーヤー、スピーカー、オーディオ受信機、ゲーム装置、オーディオアンプ、データソース、データシンク、ＤＳＣ、メディアプレーヤー、スマートフォン、テレビ、音楽プレーヤーなどを含むものであってもよい。
【００２３】
一部の例示的な実施例では、装置１０６及び／又は１２２は、例えば、プロセッサ１２０、入力ユニット１１２、出力ユニット１１４、メモリユニット１１８、及びストレージユニット１１６の１以上などを含むものであってもよい。装置１０６は、任意的には、他の適切なハードウェアコンポーネント及び／又はソフトウェアコンポーネントを含むものであってもよい。一部の例示的な実施例では、装置１０６の一部又はすべてのコンポーネントは、共通のハウジング又はパッケージングに同封されてもよく、１以上の有線若しくは無線リンクを用いて相互接続又は動作関連付けされてもよい。他の実施例では、装置１０６のコンポーネントは、複数の又は別々の装置又は位置に分散されてもよい。
【００２４】
プロセッサ１２０は、例えば、ＣＰＵ（Ｃｅｎｔｒａｌ  Ｐｒｏｃｅｓｓｉｎｇ  Ｕｎｉｔ）、ＤＳＰ（Ｄｉｇｉｔａｌ  Ｓｉｇｎａｌ  Ｐｒｏｃｅｓｓｏｒ）、１以上のプロセッサコア、シングルコアプロセッサ、デュアルコアプロセッサ、マルチコアプロセッサ、マイクロプロセッサ、ホストプロセッサ、コントローラ、複数のプロセッサ若しくはコントローラ、チップ、マイクロチップ、１以上の回路、回路、論理ユニット、集積回路（ＩＣ）、ＡＳＩＣ（Ａｐｐｌｉｃａｔｉｏｎ−Ｓｐｅｃｉｆｉｃ  ＩＣ）、又は他の何れか適切な多用途若しくは特定プロセッサ若しくはコントローラなどを含む。プロセッサ１２０は、例えば、装置１０６のオペレーティングシステム（ＯＳ）及び／又は１以上の適切なアプリケーションなどの命令を実行する。
【００２５】
入力ユニット１１２は、例えば、キーボード、キーパッド、マウス、タッチパッド、トラックボール、スタイラス、マイクロフォン又は他の適切なポインティング装置若しくは入力装置などを含む。出力ユニット１１４は、例えば、モニタ、スクリーン、フラットパネルディスプレイ、ＣＲＴ（Ｃａｔｈｏｄｅ  Ｒａｙ  Ｔｕｂｅ）ディスプレイ、ＬＣＤ（Ｌｉｑｕｉｄ  Ｃｒｙｓｔａｌ  Ｄｉｓｐｌａｙ）、ＬＥＤディスプレイ、プラズマディスプレイユニット、１以上のオーディオスピーカー若しくはイヤホン、又は他の適切な出力装置などを含む。
【００２６】
メモリユニット１１８は、例えば、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、ＤＲＡＭ（Ｄｙｎａｍｉｃ  ＲＡＭ）、ＳＤＲＡＭ（Ｓｙｎｃｈｒｏｎｏｕｓ  ＤＲＡＭ）、フラッシュメモリ、揮発性メモリ、不揮発性メモリ、キャッシュメモリ、バッファ、短期メモリユニット、長期メモリユニット、又は他の適切なメモリユニットなどを含む。ストレージユニット１１６は、例えば、ハードディスクドライブ、フロッピー（登録商標）ディスクドライブ、ＣＤ（Ｃｏｍｐａｃｔ  Ｄｉｓｋ）ドライブ、ＣＤ−ＲＯＭドライブ、ＤＶＤドライブ、又は他の適切な着脱可能又は着脱不可なストレージユニットなどを含む。メモリユニット１１８及び／又はストレージユニット１１６は、例えば、装置１０６により処理されたデータを格納する。
【００２７】
一部の例示的な実施例では、受信機１０８は、例えば、無線通信信号、ＲＦ信号、フレーム、ブロック、送信ストリーム、パケット、メッセージ、特定のデータアイテム及び／又は他の何れかのタイプの通信データを送受信可能な１以上の無線送信機、受信機及び／又は送受信機などを含むか、又はその一部であってもよい。例えば、受信機１０８は、適切な無線ＮＩＣ（Ｎｅｔｗｏｒｋ  Ｉｎｔｅｒｆａｃｅ  Ｃａｒｄ）などの適切な無線通信ユニットを含むものであってもよいし、又はその一部として実現されてもよい。
【００２８】
受信機１０８は、１以上のアンテナ又はアンテナセット１１０を含むか、又は関連付けされてもよい。アンテナ１１０は、例えば、内部及び／又は外部ＲＦアンテナ、ダイポールアンテナ、モノポールアンテナ、全方向アンテナ、エンドフェッドアンテナ、円偏波アンテナ、マイクロストリップアンテナ、ダイバーシチアンテナ、又は無線通信信号、ブロック、フレーム、送信ストリーム、パケット、メッセージ及び／又はデータを送受信するのに適した他のタイプのアンテナなどを含むものであってもよい。
【００２９】
一部の例示的な実施例では、受信機１０８は、受信機１０８により受信される無線通信パケットの信号を処理するための何れか適切なＰＨＹ１３４及びＭＡＣ１３２を含むものであってもよい。一部の無線通信パケットは、大量の情報及び／又はデータを含む相対的に長いパケットを含むものであってもよい。受信機１０８により受信された一部のパケットは、例えば、他の受信機のためのユニキャスト及び／又はマルチキャストパケットなど、所望されないパケット及び／又は受信機１０８により受信及び／又は処理されないパケットであってもよい。ＰＨＹ１３４によりこのような所望されないパケットの完全な処理は、装置１０６のバッテリ電力の不要な消費をもたらす可能性がある。
【００３０】
一部の例示的な実施例では、通信装置１０６は、ＰＨＹ１３４のレベルにおける通信パケットの処理を停止し、結果として、後述されるようなバッテリ電力を保存するようにしてもよい。
【００３１】
一部の例示的な実施例では、受信機１０８は、受信した通信パケットの一部を処理し、処理された部分に従って、通信パケットが受信機１０８により受信されるべきものであるか決定し、、通信パケットが受信機１０８により受信されるべきものでない場合、ＰＨＹ１３４の１以上のコンポーネントによって処理された部分に後続するパケットの他の部分などの通信パケットの残りの処理を停止することが可能である。例えば、受信機１０８は、以下で詳細に説明されるように、パケットの他の部分の１以上をＰＨＹ１３４が処理する前に、処理された部分に基づきパケットが受信機１０８により受信されるべきものでないことを決定する。
【００３２】
一部の例示的な実施例では、受信機１０８は、以下で詳細に説明されるように、ＰＨＹ１３４の１以上のコンポーネントを電力ダウンすることによって、ＰＨＹ１３４のレベルにおいて通信パケットの処理を停止する。受信機１０８は、例えば、次のパケットの信号を受信するなどのため、電力ダウンされたＰＨＹ１３４のコンポーネント（電力ダウンコンポーネント）の１以上を以降に電力アップする。例えば、受信機１０８は、以下で詳細に説明されるように、パケットの処理された部分の少なくとも一部に基づき、電力ダウンされたコンポーネントが電力アップされるべき時間を決定してもよい。
【００３３】
一部の例示的な実施例による無線通信パケット２００の簡単化されたブロック図を概略的に示す図２が参照される。
【００３４】
一部の例示的な実施例では、無線通信パケット２００は、リーディング部分２０８とデータ部分２１０とを有する。
【００３５】
一部の例示的な実施例では、リーディング部分２０８は、パケット２００の構成及び／又はデータ部分２１０に含まれるデータに関する何れか適切な情報を含む。
【００３６】
一部の例示的な実施例では、リーディング部分２０８は、ＰＬＣＰヘッダなどの適切なＰＨＹヘッダであってもよい第１ヘッダ２０４と、適切なＭＡＣヘッダであってもよい第２ヘッダ２０６などの１以上のヘッダを含むものであってもよい。一部の例示的な実施例では、リーディング部分２０８は、さらに又はあるいは、図４Ａを参照して図示及び後述されるようなＰＬＣＰプリアンブルなどのプロアンブル（図２に図示せず）を含むものであってもよい。
【００３７】
一部の例示的な実施例では、第１ヘッダ２０４及び／又は第２ヘッダ２０６は、パケット２００の構成及び／又はデータ部分２１０に含まれるデータに関する何れか適切な情報を含むものであってもよい。例えば、第１ヘッダ２０４は、適切なレートフィールド２１２、長さフィールド２１４及び／又は他の何れか適切なフィールドを含むものであってもよく、及び／又は第２ヘッダ２０６は、受信機アドレス（ＲＡ）２１６、ＢＳＳＩＤ（Ｂａｓｉｃ  Ｓｅｒｖｉｃｅ  Ｓｅｔ  Ｉｄｅｎｔｉｆｉｅｒ）２１８、期間フィールド２２０及び／又は他の何れか適切なフィールドを含むものであってもよい。レートフィールド２１２は、例えば、ＩＥＥＥ８０２規格及び／又は他の何れか適切な規格などによって記載されるように、Ｍｂｐｓ（Ｍｅｇａ  ｂｉｔｓ  ｐｅｒ  ｓｅｃｏｎｄ）などに関するデータ部分２１０のデータレートなどを含むものであってもよい。長さフィールド２１４は、例えば、ＩＥＥＥ８０２規格及び／又は他の何れか適切な規格などによって記載されるように、データ部分２１０のビット及び／又はバイトなどによる長さを表す値を含むものであってもよい。ＲＡ２１６は、例えば、ＩＥＥＥ８０２規格及び／又は他の何れか適切な規格などによって記載されるように、個別アドレス又はグループアドレスなどのパケット２００を受信することが意図される１以上の宛先の適切なアドレスを含むものであってもよい。ＢＳＳＩＤ２１８は、例えば、ＩＥＥＥ８０２規格及び／又は他の何れか適切な規格などによって記載されるように、ＢＳＳ（Ｂａｓｉｃ  Ｓｅｒｖｉｃｅ  Ｓｅｔ）を特定する値を含む。期間フィールド２２０は、例えば、ＩＥＥＥ８０２規格及び／又は他の何れか適切な規格などによって記載されるように、パケット２００の期間及び／又は長さを表す何れか適切な値を含むものであってもよい。
【００３８】
一部の例示的な実施例では、リーディング部分２０８は、当該技術において既知の何れかの構成に従って実現されてもよい。例えば、無線通信パケット２００の第１及び第２ヘッダ２０４，２０６は、図２に全体表示されるように、重複するセグメント又はフィールドなしにリーディング部分２０８の２つの別々のパートとして実現されてもよいし、又はリーディング部分２０８の１以上の重複するフィールド又は他のセグメントを有したリーディング部分２０８の部分的又は完全に重複した部分として実現されてもよい。
【００３９】
図１を再び参照して、一部の実施例によると、受信機１０８は、パケット２００の信号を受信し（図２）、１以上の処理されたフィールド又はセグメントに適用される所定の基準などに従って、通信パケット２００（図２）が受信機１０８により受信されることが意図されているか決定するため、ヘッダ２０４及び／又は２０６（図２）など、リーディング部分２０８（図２）の１以上のフィールド又は他のセグメントを処理するようにしてもよい。通信パケットが受信機１０８により受信されることが意図されていない場合、受信機１０８は、例えば、パケット２００（図２）の残りの予想長さに対応する期間の間でＰＨＹ１３４を電力ダウンするなどによって、ＰＨＹ１３４による通信パケット２００（図２）の残りの処理を停止する。
【００４０】
一部の例示的な実施例では、パケット２００（図２）の第１ヘッダ２０４（図２）は、ＰＨＹ１３４により受信及び処理される。ＰＨＹ１３４は、例えば、第１ヘッダ２０４（図２）に含まれる情報などに基づき、パケット２００（図２）が受信機１０８により受信されることが意図されているか決定してもよい。第１ヘッダ２０４（図２）の処理後、ＰＨＹ１３４は、パケット２００（図２）が受信機１０８により受信されることが意図されていないと決定した場合、ＰＨＹ１３４は、例えば、以下に詳細に説明されるように、パケット２００（図２）の残りの予想長さに対応する期間などにＰＨＹ１３４の少なくとも１つのコンポーネントを電力ダウンなどすることによって、パケット２００（図２）の残りの処理を停止してもよい。
【００４１】
一部の例示的な実施例では、第１ヘッダ２０４（図２）の処理後、ＰＨＹ１３４は、パケット２００（図２）が受信機１０８により受信されることが意図されていないと最終的に決定しなかった場合、ＰＨＹ１３４は、第２ヘッダ２０６（図２）などのパケット２００（図２）の第２部分を処理し続け、ＭＡＣ１３２によるさらなる処理のため処理された第２部分を転送してもよい。
【００４２】
一部の例示的な実施例では、ＭＡＣ１３２は、例えば、第２ヘッダ２０６（図２）の１以上のフィールドなどに基づき、パケット２００（図２）が受信機１０８を意図するものであるか決定してもよい。ＭＡＣ１３２は、以下で詳細に説明されるように、例えば、パケット２００（図２）が受信機１０８により受信されることが意図されていないとＭＡＣ１３２が判断した場合、ＰＨＹ１３４にパケット２００（図２）の残りの処理を停止させてもよい。
【００４３】
一部の例示的な実施例では、ＰＨＹ１３４は、少なくとも１つのＲＦ受信部分１２６と少なくとも１つのＢＢ部分１２８とを含むものであってもよい。
【００４４】
一部の例示的な実施例では、受信機１０８は、以下で詳細に説明されるように、ＲＦ部分１２６及び／又はＢＢ部分１２８の１以上のコンポーネントなど、ＰＨＹ１３４の１以上のコンポーネントを制御可能に電力アップ及び／又はダウンする少なくとも１つのコントローラ１３０を有してもよい。コントローラ１３０は、ハードウェア及び／又はソフトウェアにより実現されてもよく、別々の又は一体化された要素の何れかの組み合わせを含むものであってもよい。図１に示される実施例では、コントローラ１３０はＰＨＹ１３４の一部として実現されてもよいが、他の実施例では、コントローラ１３０の機能は、ＰＨＹ１３４及び／又はＭＡＣ１３２の１以上の適切なコンポーネントに搭載及び／又は実行されてもよい。
【００４５】
一部の例示的な実施例では、ＲＦ部分１２６は、アンテナ１１０を介し受信される入力パケットの信号を受信及び／又は処理可能である。例えば、ＲＦ部分１２６は、何れか適切なＬＮＡ（Ｌｏｗ  Ｎｏｉｓｅ  Ａｍｐｌｉｆｉｅｒ）、ＢＰＦ（Ｂａｎｄ  Ｐａｓｓ  Ｆｉｌｔｅｒ）、ＬＰＦ（Ｌｏｗ  Ｐａｓｓ  Ｆｉｌｔｅｒ）、Ａ／Ｄ（Ａｎａｌｏｇ  ｔｏ  Ｄｉｇｉｔａｌ  Ｃｏｎｖｅｒｔｏｒ）、及び／又は他の何れか適切なコンポーネントを含むものであってもよい。パケット２００（図２）の一部を受信及び処理した後、ＲＦ部分１２６は、さらなるＰＨＹ処理のため、処理された部分をＢＢ部分１２８に転送する。
【００４６】
一部の例示的な実施例では、ＢＢ部分１２８は、ＲＦ部分１２６からパケット２００（図２）の処理された部分を受信可能であり、パケット２００の受信した部分をさらに処理するため、当該分野に知られるように１以上の処理ユニットを含むものであってもよい。例えば、一部の例示的な実施例では、ＢＢ部分１２８は、ＴＣＲ（Ｔｉｍｉｎｇ  ａｎｄ  Ｃａｒｒｉｅｒ  Ｒｅｃｏｖｅｒｙ）モジュール（図示せず）、ＦＦＴ（Ｆａｓｔ  Ｆｏｕｒｉｅｒ  Ｔｒａｎｓｆｏｒｍ）モジュール（図示せず）、イコライザ（図示せず）、復調手段（図示せず）、デインタリーバ（図示せず）、デコーダ１３６及び／又はデスクランブラ（図示せず）及び／又は他の何れか適切なコンポーネントを含むものであってもよい。
【００４７】
一部の例示的な実施例では、コントローラ１３０は、第１ヘッダ２０４（図２）に含まれる情報などに基づき、パケット２００（図２）が受信機１０８により受信されることが意図されているか判断してもよい。例えば、第１ヘッダ２０４（図２）は、アンテナ１１０を介し装置１０６により受信され、ＰＨＹ１３４により処理される。第１ヘッダ２０４（図２）はまず、ＲＦ部分１２６により処理され、その後にアナログからデジタルフォーマットに変換され、ＢＢ部分１２８に転送される。コントローラ１３０は、例えば、信号１１１などによって、例示されるように、デコーダ１３６などのＢＢ部分１２８から第１ヘッダ２０４（図２）を受信する。
【００４８】
一部の例示的な実施例では、パケット２００（図２）が受信機１０８により受信されることが意図されていないとコントローラ１３０が判断した場合、コントローラ１３０は、ＲＦ部分１２６及び／又はＢＢ部分１２８の１以上の要素にＲＦ部分１２６及び／又はＢＢ部分１２８を電力ダウンさせ、これにより、ＰＨＹ１３４にパケット２００（図２）のさらなる処理及び／又は復号化を停止させ、及び／又はＲＦ部分１２６及び／又はＢＢ部分１２８の１以上の要素に電力アップさせ、これにより、ＰＨＹ１３４に次の入力パケットの処理を再開させるようにしてもよい。例えば、パス１０７は、ＲＦ部分１２６の少なくとも１つのコンポーネントを電力アップ及び／又は電力ダウンするため、コントローラ１３０により使用される少なくとも１つの制御信号を示し、パス１０９は、ＢＢ部分１２８の少なくとも１つのコンポーネントを電力アップ及び／又はダウンするため、コントローラ１３０により使用される少なくとも１つの制御信号を示す。
【００４９】
一部の例示的な実施例では、コントローラ１３０は、何れか適切なスイッチ、アジャスタ、ダイアル、オン／オフトグル及び／又は他の何れかの機構を利用して、例えば、ＲＦ部分１２６、ＢＢ部分１２８及び／又はこれらの何れかのサブコンポーネントなど、ＰＨＹ１３４の１以上のコンポーネントを制御可能に電力アップ及び／又はダウンし、及び／又はクロックなどのＰＨＹ１３４の何れかのタイミング機構のアクティビティを制御可能に有効／無効にするようにしてもよい。
【００５０】
一部の例示的な実施例では、コントローラ１３０は、パケット２００（図２）がレートフィールド２１２（図２）及び／又は長さフィールド２１４（図２）などに基づき受信機１０８により受信されることが意図されているか判断してもよい。例えば、コントローラ１３０は、レートフィールド２１２（図２）が受信機１０８によりサポートされていないレートを含む場合、パケット２００（図２）が受信機１０８により受信されることが意図されていないと判断してもよい。一例では、コントローラ１３０は、例えば、受信機１０８が１１Ｍｂｐｓのデータレートをサポートしている場合、レートフィールド２１２が受信機１０８によりサポートされていない５．５Ｍｂｐｓなどのデータレートを示す場合、パケット２００（図２）が受信機１０８により受信されることが意図されていないと判断してもよい。
【００５１】
一部の例示的な実施例では、ＰＨＹ１３４は、第２ヘッダ２０６（図２）などのパケット２００（図２）の第２部分を処理し、例えば、パケット２００（図２）が受信機１０８により受信されることが意図されていないと判断することができない場合、ＭＡＣ１３２などの受信機１０６の追加的なコンポーネントによるさらなる処理のため、第２部分をわたすようにしてもよい。
【００５２】
一部の例示的な実施例では、ＭＡＣ１３２は、第２ヘッダ２０６（図２）に含まれる１以上の要素を検討することによって、パケット２００（図２）が受信機１０８により受信されることが意図されているか判断してもよい。例えば、ＭＡＣ１３２は、ＲＡ２１６（図２）、ＢＳＳＩＤ２１８（図２）及び／又は第２ヘッダ２０６（図２）の他の何れか適切なフィールド又は値の少なくとも１つを処理及び／又は確認してもよい。
【００５３】
一部の例示的な実施例では、ＭＡＣ１３２は、何れか適切な下位ＭＡＣレイヤ１３８及び何れか適切な上位ＭＡＣレイヤ１４０を含むものであってもよい。例えば、下位ＭＡＣレイヤ１３８はマイクロコード（ｕＣｏｄｅ）により実現され、上位ＭＡＣレイヤ１４０は装置１０６の適切なドライバの一部として実現されてもよい。
【００５４】
一部の例示的な実施例では、下位ＭＡＣレイヤ１３８は、第２ヘッダ２０６（図２）に基づき、パケット２００（図２）が受信機１０８により受信されることが意図されているか判断してもよい。下位ＭＡＣレイヤ１３８は、例えば、パケット２００（図２）が受信機１０８により受信されることが意図されていないことをコントローラ１３０に示すなど、少なくとも１つのフィードバック信号１１３をコントローラ１３０に提供してもよい。
【００５５】
一部の例示的な実施例では、下位ＭＡＣレイヤ１３８は、例えば、ＲＡ２１６（図２）と受信機１０８のＭＡＣアドレスとを比較してもよい。下位ＭＡＣレイヤ１３８は、パケット２００（図２）が受信機１０８により受信されることが意図されていないと判断し、例えば、ＲＡ２１６が受信機１０８のＭＡＣアドレスに一致しない場合、コントローラ１３０にＰＨＹ１３４の少なくとも１つのコンポーネントを電力ダウンさせ、パケット２００（図２）の残りのさらなる処理を停止させるフィードバック信号１１３をコントローラ１３０に送信するようにしてもよい。
【００５６】
さらに又はあるいは、一部の例示的な実施例では、下位ＭＡＣレイヤ１３８は、ＲＡ２１６がブロードキャストアドレスを有しているか確認し、有している場合には、ＢＳＳＩＤ２１８（図２）を確認するようにしてもよい。下位ＭＡＣレイヤ１３８は、例えば、ＢＳＳＩＤ２１８（図２）が、装置１０６を含む及び／又は関連付けされるＢＳＳを示さない場合、パケット２００が受信機１０８により受信されることが意図されていないと判断し、コントローラ１３０にＰＨＹ１３４の少なくとも１つのコンポーネントを電力ダウンさせ、パケット２００（図２）の残りのさらなる処理を停止させるフィードバック信号１１３をコントローラ１３０に送信してもよい。
【００５７】
さらに又はあるいは、一部の例示的な実施例では、下位ＭＡＣレイヤ１３８は、ＲＡ２１６がマルチキャストアドレスであるか判断し、そうである場合、ＲＡ２１６が受信機１０８を含むマルチキャストグループのマルチキャストアドレスを含むか確認するようにしてもよい。下位ＭＡＣレイヤ１３８は、例えば、ＲＡ２１６が受信機１０８を含まないマルチキャストアドレスを有する場合、ＢＳＳＩＤ２１８（図２）が装置１０６を含まない及び／又は関連付けされないＢＳＳを示す場合、パケット２００（図２）が受信機１０８により受信されることが意図されていないと判断し、コントローラ１３０にＰＨＹ１３４の少なくとも１つのコンポーネントを電力ダウンさせ、パケット２００（図２）の残りのさらなる処理を停止させるフィードバック信号１１３をコントローラ１３０に送信してもよい。
【００５８】
さらに又はあるいは、一部の例示的な実施例では、下位ＭＡＣレイヤ１３８は、１以上の所定の基準が充足される場合、パケット２００（図２）の処理が停止されるべきでないと判断し、これにより、ＰＨＹ１３４がパケット２００（図２）の全体を処理することを可能にしてもよい。例えば、下位ＭＡＣレイヤ１３８は、ＲＡ２１６（図２）が受信機１０８のＭＡＣアドレスに一致する場合、ＲＡ２１６（図２）がブロードキャストアドレスであって、ＢＳＳＩＤ２１８（図２）が装置１０６を含む及び／又は関連付けされるＢＳＳを示す場合、ＲＡ２１６（図２）が受信機１０８を含むマルチキャストグループのマルチキャストアドレスである場合、パケット２００（図２）が、８０２規格及び／又は他の何れか適切な規格により記述されるようなＲＴＳ（Ｒｅｑｕｅｓｔ  ｔｏ  Ｓｅｎｄ）フレーム、ＣＴＳ（Ｃｌｅａｒ  ｔｏ  Ｓｅｎｄ）フレーム及び／又はＡＣＫ（Ａｃｋｎｏｗｌｅｄｇｅｍｅｎｔ）フレームなどの制御フレームを含む場合、及び／又は下位ＭＡＣ１３８のパーサ（図示せず）が、不規則なモードで動作しているときなどバイパスされる場合、パケット２００（図２）の処理が停止されるべきでないと判断してもよい。
【００５９】
ＭＡＣ１３２は、ヘッダ２０６の１以上の部分が損傷しているか判断することができない可能性があることに留意されたい。例えば、ＲＡ２１６（図２）は、誤ったＲＡを含むなどの損傷している可能性があり、ＭＡＣ１３２は、損傷したＲＡ２１６（図２）を検出不可である可能性がある。このような状況において、ＭＡＣ１３２は、損傷したＲＡに基づきパケット２００（図２）が受信機１０８により受信されることが意図されているか判断してもよい。
【００６０】
１つのケースでは、損傷したＲＡは、例えば、パケット２００（図２）が受信機１０８を意図するものでないことを実際に損傷していないＲＡが示していた可能性があるが、パケット２００（図２）は受信機１０８を意図していることを示すＲＡを含む可能性がある。このケースは、４８ビットのＲＡを仮定すると、例えば、１−（２４８−１）／２４８の確率など、相対的に低い確率を有するかもしれない。この場合、受信機１０８は、例えば、パケット２００（図２）が受信機１０８により受信されることが実際には意図されていないが、ヘッダ２０６（図２）に基づきパケット２００（図２）が受信機１０８により受信されることが意図されていると判断する可能性がある。この結果、受信機１０８は、ＰＨＹ１３４によるパケット２００（図２）の残りの処理を停止せず、パケット２００（図２）は、ＦＣＳ（Ｆｒａｍｅ  Ｃｈｅｃｋ  Ｓｅｑｕｅｎｃｅ）などの何れか適切なチェックなどに基づき、以降に“排除”されてもよい。
【００６１】
第２のケースでは、損傷したＲＡは、パケット２００（図２）が受信機１０８を意図していることを実際の損傷していないＲＡが示している可能性があるが、パケット２００（図２）が受信機１０８を意図していないことを示すＲＡを含む可能性がある。この場合、受信機１０８は、ＰＨＹ１３４によるパケット２００（図２）の残りの処理を停止してもよい。
【００６２】
一部の例示的な実施例では、コントローラ１３０は、例えば、ＰＨＹ１３４が電力ダウン期間においてパケット２００（図２）の１以上の残りの未処理部分の処理を停止するように、信号１１１及び／又は１１３に基づきＲＦ部分１２６及び／又はＢＢ部分１２８の１以上のコンポーネントなどのＰＨＹ１３４の１以上のコンポーネントを制御可能に電力ダウンするようにしてもよい。例えば、パケット２００（図２）が受信機１０８により受信されることが意図されていないことを信号１１１及び／又は１１３が示す場合、コントローラ１３０は、ＰＨＹ１３４がヘッダ２０６（図２）及びデータ部分２１０（図２）を停止するように、ＲＦ部分１２６及び／又はＢＢ部分１２８の１以上のコンポーネントなど、ＰＨＹ１３４の１以上のコンポーネントを制御可能に電力ダウンしてもよい。パケット２００（図２）が受信機１０８により受信されることが意図されていないことを信号１１１が示しておらず、パケット２００（図２）が受信機１０８により受信されることが意図されていないことを信号１１３が示す場合、コントローラ１３０は、ＰＨＹ１３４がデータ部分２１０（図２）の処理をテイするように、ＲＦ部分１２６及び／又はＢＢ部分１２８の１以上のコンポーネントなど、ＰＨＹ１３４の１以上のコンポーネントを制御可能に電力ダウンしてもよい。
【００６３】
一部の例示的な実施例では、受信機１０８は、パケット２００（図２）の予想される残りの送信時間（ＴｘＴｉｍｅ）に基づき、電力ダウン期間を決定してもよい。電力ダウン期間の正確な計算は、さらなるパケットの受信及び処理に最小限の影響によって又は影響なしに、ＰＨＹ１３４による冗長なパケット処理の正確な停止を可能にする。
【００６４】
一部の例示的な実施例では、コントローラ１３０は、例えば、パケット２００（図２）のＰＳＤＵ（Ｐｈｙｓｉｃａｌ  ｌａｙｅｒ  Ｓｅｒｖｉｃｅ  Ｄａｔａ  Ｕｎｉｔ）に関連するレートフィールド２１２（図２）及び／又は長さフィールド２１４（図２）に基づき、処理された第１ヘッダ２０４に含まれる情報に基づき、電力ダウン期間を計算してもよい。一例では、パケット２００（図２）がＡ−ＭＳＤＵ（Ａｇｇｒｅｇａｔｅ  ＭＡＣ  Ｓｅｒｖｉｃｅ  Ｄａｔａ  Ｕｎｉｔ）を含む場合、ＰＳＤＵは、ヘッダ２０６とＡ−ＭＳＤＵとを含む。他の例では、パケット２００（図２）がＡ−ＭＰＤＵ（Ａｇｇｒｅｇａｔｅ  ＭＡＣ  Ｐｒｏｔｏｃｏｌ  Ｄａｔａ  Ｕｎｉｔ）を有する場合、ＰＳＤＵは、１以上のＭＰＤＵ（ＭＡＣ  Ｐｒｏｔｏｃｏｌ  Ｄａｔａ  Ｕｎｉｔ）を集めたものを含むものであってもよい。他の実施例では、パケット２００は、他の何れか適切なパケット及び／又はフォーマットを含むものであってもよい。
【００６５】
一部の例示的な実施例では、コントローラ１３０は、例えば、パケット２００（図２）が受信機１０８により受信されることが意図されないことを示す信号１１１及び／又は１１３を受信すると、パケット２００（図２）の残りの予想される残り期間に対応する電力ダウン期間を決定してもよい。例えば、コントローラ１３０は、パケット２００（図２）の期間と、受信機１０８によるパケット２００（図２）の最初の検出からの経過期間とに基づき、電力ダウン期間を決定してもよい。例えば、コントローラ１３０は、パケット２００（図２）を受信してからの経過時間をカウントしてもよい。
【００６６】
一部の例示的な実施例では、コントローラ１３０は、例えば、パケット２００（図２）の送信がＴｘＯＰ（Ｔｒａｎｓｍｉｔ  Ｏｐｐｏｒｔｕｎｉｔｙ）ターミネーションを実現しない場合、期間フィールド２２０（図２）に基づき電力ダウン期間を決定するようにしてもよい。例えば、ＭＡＣ１３２は、信号１１３の一部及び／又はそれと共に、期間フィールド２２０（図２）の値を提供してもよい。しかしながら、上述されるように、ヘッダ２０６が損傷している場合、期間フィールド２２０（図２）に基づく電力ダウン期間の決定は、誤った電力ダウン期間を生じさせる可能性がある。
【００６７】
一部の例示的な実施例では、ヘッダ２０６（図２）はまた、ヘッダ２０６のエラー及び／又は損傷を検出することを可能にする値を示す、ＣＲＣ（Ｃｙｃｌｉｃ  Ｒｅｄｕｎｄａｎｃｙ  Ｃｈｅｃｋ）フィールドなどのチェックフィールド２２１（図２）を有してもよい。これらの実施例によると、ヘッダ２０６（図２）を受信すると、ＭＡＣ１３２は、チェックフィールド２２１（図２）などに基づきヘッダ２０６（図２）が損傷しているか判断してもよい。ＭＡＣ１３２は、ヘッダ２０６（図２）から期間フィールド２２０（図２）を抽出し、例えば、ＭＡＣ１３２がヘッダ２０６（図２）が損傷していないことを決定可能である場合、信号１１３などを介しコントローラ１３０に期間フィールド２２０（図２）のＭＡＣ期間値を提供してもよい。これらの実施例によると、期間フィールド２２０（図２）のＭＡＣ期間値は、パケット２００（図２）の受信後の残りのＴｘＯＰ期間を示すようにしてもよい。コントローラ１３０は、例えば、ＭＡＣ期間値とパケット２００（図２）の予想される残りの期間とを組み合わせることによって、電力ダウン期間を決定してもよい。例えば、コントローラ１３０は、ＭＡＣ期間値とパケット２００（図２）の予想される残りの期間との合計に等しくなるよう電力ダウン期間を決定してもよい。
【００６８】
一部の実施例では、コントローラ１３０は、ここに開示されるように、ヘッダ２０４及び／又は２０６の１以上の他の要素など、期間フィールド２２０（図２）以外の情報に基づき、電力ダウン期間を決定してもよい。例えば、パケット２００（図２）の送信がＴｘＯＰターミネーションを実現せず、コントローラ１３０が期間フィールド２２０（図２）に基づき電力ダウン期間を決定する場合、受信機１０８は、期間フィールド２２０（図２）に対応して示されるＴｘＯＰのエンド前に、ＴｘＯＰが終了されるという適切なＣＤ−ｅｎｄ（Ｃｏｎｔｅｎｔｉｏｎ−Ｆｒｅｅ  ｅｎｄ）フレームなどの指示を受信できない可能性がある。
【００６９】
一部の例示的な実施例では、コントローラ１３０は、ＰＨＹ１３４が以下で詳細に説明されるように、以降のパケットの信号を処理してもよいように、電力ダウン期間の終了前及び／又は終了時などに、電力ダウンされたコンポーネントを制御可能に電力アップしてもよい。
【００７０】
一部の例示的な実施例では、ＢＢ部分１２８のデジタルコンポーネントなどのＰＨＹ１３４の一部のコンポーネントを電力アップすることは、相対的に即時に応答しうる。従って、コントローラ１３０は、パケット２００（図２）の期間の実質的に終了時に、これらの“即時応答”コンポーネントを電力アップしてもよい。しかしながら、特にＲＦ部分１２６のコンポーネントなど、ＰＨＹ１３４の他のコンポーネントの電力アップ及び／又はダウンは、ＲＦ部分１２６のアナログコンポーネントなど、あるコンポーネントの電力アップ／ダウンの性質のため、即時応答するものでなくてもよい。例えば、このような“遅延応答”コンポーネントは、電力アップのための電力アップ期間を要求するかもしれない。従って、受信機１０８は、後述されるように、パケット２００（図２）の期間と電力アップ期間との組み合わせに基づき、遅延応答コンポーネントの電力アップの開始前に電力ダウン期間を決定することが可能であってもよい。例えば、コントローラ１３０は、パケット２００（図２）の期間が終了するとき、遅延応答コンポーネントが電力アップされるように、パケット２００（図２）の期間終了前の少なくとも電力アップ期間など、パケット２００（図２）の期間終了間ぢに遅延応答コンポーネントの電力アップを開始してもよい。例えば、コントローラ１３０は、パケット２００（図２）の期間の終了前の電力アップ期間など、コントローラ１３０が最初にＲＦ部分１２６のコンポーネントを電力アップするための信号１０７を生成する間に実質的に同時に、ＲＦ部分１２６とＢＢ部分１２８とのコンポーネントを電力ダウンするための信号１０７，１０９を生成し、パケット２００（図２）の期間の終了時などの以降の第２の時点でＢＢ部分１２８のコンポーネントを電力アップするための信号１０９を生成してもよい。
【００７１】
いくつかの例示的な実施例による無線通信パケットの受信を選択的に停止する方法を概略的に示す図３が参照される。一部の例示的な実施例では、図３の方法の１以上の処理は、例えば、無線通信装置１０６（図１）などの無線通信装置、受信機１０８などの受信機、及び／又は無線通信パケットを受信可能な他の何れかの無線通信装置によって実行されてもよい。
【００７２】
ブロック３０４に示されるように、本方法は、受信機によるパケットの一部の受信を含む。例えば、受信機１０８（図１）は、後述されるように、パケット２００（図２）のリーディング部分２０８（図２）の少なくとも一部の信号を受信してもよい。
【００７３】
ブロック３０６に示されるように、本方法は、処理された部分に基づき、受信機のＰＨＹによるパケットの残りの処理を選択的に停止することを含む。例えば、ヘッダ２０４（図２）及び／又は２０６に基づき、受信機１０８（図１）は、後述されるように、ＰＨＹ１３４（図１）によるパケット２００（図２）の残りの部分の処理を選択的に停止してもよい。
【００７４】
ブロック３０８に示されるように、本方法は、パケットの第１ヘッダの処理を含む。ブロック３０９に示されるように、第１ヘッダの処理は、ＰＨＹによるＰＨＹヘッダの処理を含む。例えば、ＰＨＹ１３４（図１）は、後述されるように、ヘッダ２０４（図２）を処理してもよい。
【００７５】
ブロック３１０に示されるように、本方法は、第１ヘッダに基づきパケットが受信機により受信されることが意図されているか判断することを含む。例えば、コントローラ１３０（図１）は、後述されるように、信号１１１（図１）に基づき受信機１０８（図１）によりパケット２００（図２）が受信されるべきか判断してもよい。
【００７６】
ブロック３１２に示されるように、本方法は、第１ヘッダに基づきパケットが受信機により受信されることが意図されていないことが判断できない場合、パケットの第２ヘッダを処理することを含む。ブロック３１３に示されるように、第２ヘッダの処理は、受信機のＭＡＣによるＭＡＣヘッダの処理を含む。例えば、ＭＡＣ１３４（図１）は、例えば、後述されるように、ＰＨＹ１３２（図１）により最初に処理された後、ヘッダ２０６（図２）を処理するようにしてもよい。
【００７７】
ブロック３１４に示されるように、本方法は、第２ヘッダに基づきパケットが受信機により受信されることが意図されているか判断することを含む。例えば、ＭＡＣ１３２（図１）は、後述されるように、ヘッダ２０６などに基づき、パケット２００（図２）が受信機１０８（図１）により受信されることが意図されているか判断してもよい。
【００７８】
ブロック３１６に示されるように、本方法は、例えば、パケットの処理を停止するための基準が充足されない場合、パケットの他の残りの部分を処理することを含む。例えば、上述されたように、ＰＨＹ１３４（図１）又はＭＡＣ１３２（図１）によって、パケット２００（図２）が受信機１０８（図１）による受信が意図されないと判断されなかった場合、処理されていないパケット２００（図２）の残りの部分は、ＰＨＹ１３４（図１）及びＭＡＣ１３２（図１）によって受信及び処理され続けてもよい。
【００７９】
ブロック３１７に示されるように、本方法は、例えば、第１及び／又は第２ヘッダに基づき、パケットが受信機により受信されることが意図されていないと判断された場合、電力ダウン期間を決定することを含む。電力ダウン期間は、後述されるように、パケットの受信された部分などに基づき決定されてもよい。
【００８０】
ブロック３２４に示されるように、電力ダウン期間の決定は、ＰＬＣＰヘッダに基づき電力ダウン期間を決定することを含む。例えば、コントローラ１３０（図１）は、後述されるように、ヘッダ２０４（図２）に基づき電力ダウン期間を決定してもよい。
【００８１】
ブロック３２６に示されるように、本方法は、ＴｘＯＰターミネーションが実現されるか判断することを含む。例えば、装置１２２（図１）の一部及び／又は他の何れかの装置として実現されてもよいＡＰなどのシステム１００（図１）の装置が、フレーム及び／又はパケットなどの適切な信号を利用して、ＴｘＯＰが実現可能出るか装置１０６に通知するようにしてもよい。一例では、ＡＰは、ビーコンを受信した無線通信装置がＴｘＯＰターミネーションを実現しないことを示すため、所定値を有するビットなどの適切な表示を含むビーコンを送信してもよい。
【００８２】
ブロック３２８に示されるように、電力ダウン期間の決定は、例えば、ＴｘＯＰターミネーションが実現されない場合、第２ヘッダのＭＡＣ期間フィールドに基づき電力ダウン期間を決定することを含むものであってもよい。例えば、コントローラ１３０（図１）は、上述されるように、期間フィールド２２０（図１）に基づき電力ダウン期間を決定してもよい。
【００８３】
ブロック３２０に示されるように、本方法は、電力ダウン期間においてＰＨＹの少なくとも１つのコンポーネントを電力ダウンすることを含むものであってもよい。例えば、コントローラ１３０（図１）は、上述されるように、電力ダウン期間においてＰＨＹ１３４（図１）の１以上のコンポーネントを電力ダウンするようにしてもよい。
【００８４】
ブロック３１８に示されるように、１以上のコンポーネントの電力ダウンは、１以上のＲＦコンポーネントを電力ダウンすることを含むものであってもよい。例えば、コントローラ１３０（図１）は、上述されるように、電力ダウン期間においてＲＦ部分１２６（図１）の１以上のコンポーネントを電力ダウンするものであってもよい。
【００８５】
ブロック３２２に示されるように、１以上のコンポーネントの電力ダウンは、１以上のＢＢコンポーネントを電力ダウンすることを含むものであってもよい。例えば、コントローラ１３０（図１）は、上述されるように、電力ダウン期間においてＢＢ部分１２８（図１）の１以上のコンポーネントを電力ダウンするものであってもよい。
【００８６】
ブロック３２３に示されるように、本方法は、電力ダウンされた１以上のコンポーネントを電力アップすることを含むものであってもよい。例えば、コントローラ１３０（図１）は、上述されるように、電力ダウン期間の終了前及び／又は終了時などに、ＢＢ部分１２８（図１）及び／又はＲＦ部分１２６（図１）のコンポーネントの１以上を電力アップするようにしてもよい。
【００８７】
いくつかの例示的な実施例による受信対象の２つの例示的なタイプのパケットのブロック図を概略的に示す図４ａ及び４ｂが参照される。他の何れか適切なパケット及び／又はパケットフォーマットは、他の実施例による受信及び／又は処理されてもよい。
【００８８】
図４ａは、ＩＥＥＥ８０２．１１規格などによるＰＰＤＵ（Ｐｈｙｓｉｃａｌ  Ｐａｃｋｅｔ  Ｄａｔａ  Ｕｎｉｔ）４００の例示的なフレームフォーマットを示す。ＰＰＤＵ４００は、ＰＬＣＰプリアンブル４０４、ＰＬＣＰヘッダなどの第１ヘッダ４０６、ＭＡＣヘッダなどの第２ヘッダ４０８、データなどを含むフレームボディ及びＦＣＳフィールド４１２を有する。
【００８９】
一部の例示的な実施例では、ヘッダ４０６は、ＰＰＤＵ４００のデータレートを表すレートフィールド２１２（図２）と、ＰＰＤＵ４００のＭＰＤＵの長さを指定する長さフィールド２１４（図２）とを含むものであってもよい。
【００９０】
これらの実施例によると、ＰＨＹ１３４（図１）は、レートフィールドなどに基づき、上述されるように、ＰＰＤＵ４００が受信機１０８（図１）により受信されることが意図されるか判断するため、ヘッダ４０６を処理してもよい。コントローラ１３０（図１）は、ＰＰＤＵ４００が受信機１０８（図１）により受信されることが意図されていないと判断すると、ＰＨＹ１３４（図１）の１以上のコンポーネントを電力ダウンしてもよい。ＰＨＹ１３４（図１）は、ヘッダ４０８を処理し続け、例えば、ＰＨＹ１３４（図１）がＰＰＤＵ４００が受信機１０８（図１）により受信されることが意図されないと判断できない場合、処理されたヘッダ４０８をＭＡＣ１３２（図１）に提供する。下位ＭＡＣレイヤ１３８（図１）は、例えば、ヘッダ４０８などに基づき、ＰＰＤＵ４００が受信機１０８（図１）により受信されることが意図されているか判断してもよい。下位ＭＡＣレイヤ１３８（図１）は、例えば、ＰＰＤＵ４００が受信機１０８（図１）により受信されることが意図されないと判断すると、コントローラ１３０（図１）にＰＨＹ１３４（図１）の１以上のコンポーネントを電力ダウンさせてもよい。ＰＨＹ１３４（図１）及びＭＡＣ］１３２（図１）は、例えば、ＰＰＤＵ４００が受信機１０８（図１）により受信されることが意図されないと下位ＭＡＣレイヤ１３８（図１）が判断できない場合、ＰＰＤＵ４００の他の部分を処理し続けてもよい。
【００９１】
図４ｂは、例えば、ＩＥＥＥ８０２．１１ｎ規格によるＡ−ＭＰＤＵ４０２の例示的なフレームフォーマットを示す。Ａ−ＭＰＤＵ４０２は、ＰＬＣＰヘッダなどの第１ヘッダ４０３の後に１以上のＡ−ＭＰＤＵサブフレームが続く。Ａ−ＭＰＤＵサブフレーム４１５は、長さフィールド４１４、長さＣＲＣフィールド４１７、デリミッタシグネチャ４１６、ＭＰＤＵ４１８及びＦＣＳ４１２と、任意的に後続する１以上のパディングビット４２０を含む。長さフィールド４１４は、ＭＰＤＵ４１８の長さを指定し、ＣＲＣフィールドは長さフィールド４１４をチェックするための値を含むものであってもよい。ＭＰＤＵ４１８は、ＭＡＣヘッダ２０６（図２）に類似するものなどのＭＡＣヘッダ４１９を有する。
【００９２】
これらの実施例によると、ＰＨＹ１３４（図１）は、上述されるように、レートフィールドなどに基づき、Ａ−ＭＰＤＵ４０２が受信機１０８（図１）により受信されることが意図されていないか判断するため、ヘッダ４０３を処理する。コントローラ１３０（図１）は、Ａ−ＭＰＤＵ４０２が受信機１０８（図１）により受信されることが意図されていないと判断すると、ＰＨＹ１３４（図１）の１以上のコンポーネントを電力ダウンしてもよい。ＰＨＹ１３４（図１）は、ＰＬＣＰヘッダ４０３に基づきＡ−ＭＰＤＵ４０２の期間を決定してもよい。ＰＨＹ１３４（図１）は、その後にＡ−ＭＰＤＵ４０２の第１ＭＰＤＵ４１８のＭＡＣヘッダ４１９を処理し、処理されたＭＡＣヘッダ４１９をＭＡＣ１３２（図１）に提供する。ＭＡＣ１３２（図１）は、例えば、ＰＨＹ１３４（図１）がＭＰＤＵ４１８の残りを処理する間などに、ヘッダ４１９などに基づきＡ−ＭＰＤＵ４０２が受信機１０８（図１）により受信されることが意図されているか判断する。ＭＡＣ１３２（図１）は、Ａ−ＭＰＤＵ４０２が受信機１０８（図１）により受信されることが意図されていないと判断すると、コントローラ１３０（図１）にＰＨＹ１３４（図１）の１以上のコンポーネントを電力ダウンさせる。コントローラ１３０（図１）は、例えば、Ａ−ＭＰＤＵ４０２のすべてのＭＰＤＵ４１８が同一のＲＡを有してもよいため、第１ＭＰＤＵ４１８に関するＭＡＣ１３２の決定に基づき、Ａ−ＭＰＤＵ４０２の期間全体においてＰＨＹ１３４（図１）の１以上のコンポーネントを電力ダウンする。ＰＨＹ１３４（図１）及びＭＡＣ１３２（図１）は、例えば、Ａ−ＭＰＤＵ４０２が受信機１０８（図１）により受信されることが意図されていないとＭＡＣ１３２（図１）が判断できない場合、Ａ−ＭＰＤＵ４０２の他の部分を処理し続ける。一例では、Ａ−ＭＰＤＵ４０２は、３２キロバイトの長さを有し、ヘッダ４０３は、５０バイト未満の長さを有してもよい。従って、ＰＨＹ１３４（図１）のコンポーネントは、例えば、Ａ−ＭＰＤＵ４０２がヘッダ４０３に基づき受信機１０８（図１）により受信されることが意図されていないとＰＨＹ１３４（図１）が判断する場合、Ａ−ＭＰＤＵ４０２の期間の９０％以上などにおいてＡ−ＭＰＤＵ４０２のほぼ期間全体において電力ダウンされてもよい。
【００９３】
いくつかの例示的な実施例による製造物４００を概略的に示す図５が参照される。物５００は、例えば、受信機１０８（図１）及び／又は無線通信装置１０６（図１）の機能の少なくとも一部を実行し、及び／又は図３の方法の１以上の処理を実行するため利用可能なロジック５０４を格納するためのマシーン可読記憶媒体５０２を有してもよい。
【００９４】
一部の例示的な実施例では、物５００及び／又はマシーン可読記憶媒体５０２は、揮発性メモリ、不揮発性メモリ、着脱可能又は着脱不可なメモリ、消去可能又は消去不可なメモリ、書き込み可能又は書き換え可能なメモリなどを含む、データを格納可能な１以上のタイプのコンピュータ可読記憶媒体を含む。例えば、マシーン可読記憶媒体５０２は、ＲＡＭ、ＤＲＡＭ、ＤＤＲ−ＤＲＡＭ（Ｄｏｕｂｌｅ−Ｄａｔａ−Ｒａｔｅ  ＤＲＡＭ）、ＳＤＲＡＭ、ＳＲＡＭ（Ｓｔａｔｉｃ  ＲＡＭ）、ＲＯＭ、ＰＲＯＭ（Ｐｒｏｇｒａｍｍｂｌｅ  ＲＯＭ）、ＥＰＲＯＭ（Ｅｒａｓａｂｌｅ  Ｐｒｏｇｒａｍｍａｂｌｅ  ＲＯＭ）、ＥＥＰＲＯＭ（Ｅｌｅｃｒｉｃａｌｌｙ  ＥＰＲＯＭ）、ＣＤ−ＲＯＭ（Ｃｏｍｐａｃｔ  Ｄｉｓｋ  ＲＯＭ）、ＣＤ−Ｒ（ＣＤ  Ｒｅｃｏｒｄａｂｌｅ）、ＣＤ−ＲＷ（ＣＤ  Ｒｅｗｒｉｔａｂｌｅ）、フラッシュメモリ（ＮＯＲ又はＮＡＮＤフラッシュメモリなど）、ＣＡＭ（Ｃｏｎｔｅｎｔ  Ａｄｄｒｅｓｓａｂｌｅ  Ｍｅｍｏｒｙ）、ポリマメモリ、相変化メモリ、強誘電体メモリ、ＳＯＮＯＳ（Ｓｉｌｉｃｏｎ−Ｏｘｉｄｅ−Ｎｉｔｒｉｄｅ−Ｏｘｉｄｅ−Ｓｉｌｉｃｏｎ）メモリ、ディスク、フロッピー（登録商標）ディスク、ハードドライブ、光ディスク、磁気ディスク、カード、磁気カード、光カード、テープ、カセットなどを含むものであってもよい。コンピュータ可読記憶媒体は、モデム、無線又はネットワーク接続などの通信リンクを介し搬送波又は他の伝搬媒体に実現されるデータ信号により搬送されるコンピュータプログラムをリモートコンピュータから要求元のコンピュータにダウンロード又は転送するのに関係する何れか適切なメディアを含むものであってもよい。
【００９５】
一部の例示的な実施例では、ロジック５０４は、マシーンにより実行されると、マシーンにここに開示された方法、プロセス及び／又は処理を実行させる命令、データ及び／又はコードを含むものであってもよい。マシーンは、例えば、何れか適切な処理プラットフォーム、計算プラットフォーム、計算装置、処理装置、計算システム、処理システム、コンピュータ、プロセッサなどを含むものであってもよく、ハードウェア、ソフトウェア、ファームウェアなどの何れか適切な組み合わせを用いて実現されてもよい。
【００９６】
一部の例示的な実施例では、ロジック５０４は、ソフトウェア、ソフトウェアモジュール、アプリケーション、プログラム、サブルーチン、命令、命令セット、計算コード、ワード、値、シンボルなどを含むものであってもよいし、これにより実現されてもよい。命令は、ソースコード、コンパイル済みコード、インタープリット済みコード、実行可能コード、静的コード、動的コードなどの何れか適切なタイプのコードを含むものであってもよい。命令は、プロセッサにある機能を実行するよう指示するため、所定のコンピュータ言語、方法又はシンタックスに従って実現されてもよい。命令は、Ｃ、Ｃ＋＋、Ｊａｖａ（登録商標）、ＢＡＳＩＣ、Ｍａｔｌａｂ、Ｐａｓｃａｌ、Ｖｉｓｕａｌ  ＢＡＳＩＣ、アセンブリ言語、マシーン語などの何れか適切なハイレベル、ローレベル、オブジェクト指向、ビジュアル、コンパイル済み及び／又はインタープリット済みプログラミング言語を用いて実現されてもよい。
【００９７】
１以上の実施例を参照して開示された機能、処理、コンポーネント及び／又は特徴は、１以上の他の実施例を参照して開示された他の１以上の機能、処理、コンポーネント及び／又は特徴と組み合わされてもよいし、又は一緒に利用されてもよい。
【００９８】
本発明の特徴が図示及び開示されたが、当業者には多数の改良、置換、変更及び均等が想到するであろう。従って、添付した請求項は、このようなすべての改良及び変更を本発明の真の趣旨に属するものとしてカバーすることが意図されることが理解されるべきである。
【符号の説明】
【００９９】
１００  システム
１０６  通信装置
１０８  受信機
【図１】
2015122755.tif 000003
【図２】
2015122755.tif 000004
【図３】
2015122755.tif 000005
【図４】
2015122755.tif 000006
【図５】
2015122755.tif 000007